(57)【要約】【課題】ボディと蓋体を連結したカードコネクタにおいて、使い勝手を向上させてカードの装着操作や取出し操作を容易に行う。カード側電極の接続信頼性を高める。【解決手段】ボディ１に蓋体３を連結する。係合部７３，９１をボディ１と蓋体３とに振り分けて配備し、蓋体３を閉じたときに一方側係合部７３が他方側係合部９１に係合して蓋体３がボディ１にロックされるようにする。ボディ１にロック解除操作機構Ｂと開蓋機構Ｃとカード付勢機構Ｄとを設ける。ロック解除操作機構Ｂは操作体８５とカム機構７４とを有する。蓋体３にカードガイド３２を設ける。カード付勢操作機構Ｄは、スライダ５、カードガイド３２に設けた係止部３９、第１板ばね片６１、押圧部２２、カード受面２３などを有する。【選択図】　　　　図１
2004022337.tif 000002
【特許請求の範囲】
【請求項１】
複数の接点を具備するボディの前端部に横軸を介し蓋体が開閉可能に連結され、その蓋体の開閉動作を通じてその蓋体に保持させたカードの面電極が上記接点に離接するようになっているカードコネクタにおいて、
互いに係脱可能な一対の係合部を有し、それらの係合部のうち、一方側係合部が、他方側係合部に対する係脱方向に移動可能でかつ係合方向に常時弾発付勢されたロック機構を備え、上記一方側係合部と上記他方側係合部とが上記ボディと上記蓋体とに振り分けて各別に設けられ、上記ロック機構に、上記蓋体を閉じるのに伴って一方側係合部を上記弾発付勢に抗して移動させながら他方側係合部を乗り越えさせた後にその一方側係合部の上記弾発付勢による復帰移動を介して一方側係合部を他方側係合部に係合させるガイド部が備わり、
上記他方側係合部に係合している上記一方側係合部を上記弾発付勢に抗して移動させてその係合状態を解除するロック解除操作機構と、このロック解除機構によって一方側係合部と他方側係合部との係合状態が解除されたときに上記蓋体を上記ボディから跳ね上げる開蓋機構と、上記蓋体が開いたときにその蓋体に保持されている上記カードを後方へ突出させるカード付勢機構とを備えていることを特徴とするカードコネクタ。
【請求項２】
上記ロック機構が、ボディ側に前後移動可能に配備された上記一方側係合部と、ボディ側に配備されて上記一方側係合部を常時前方へ弾発付勢するばね体と、ボディ側に設けられて上記一方側係合部に当接することによりその一方側係合部の前位置を規制するストッパと、上記蓋体側に設けられた上記他方側係合部とを有していて、上記係脱方向が前後方向に一致していると共に、上記一方側係合部が前向きの突片でなり、上記他方側係合部がその突片の嵌脱を許容する凹所を備えた上記蓋体の後端部でなり、上記ガイド部が、上記突片又は上記蓋体の後端部に具備された傾斜面でなる請求項１に記載したカードコネクタ。
【請求項３】
上記ロック解除操作機構が、上記ボディに左右方向に押込み復帰可能に取り付けられて操作部がボディの側方へ突出された操作体と、この操作体の押込み操作により上記突片を後退させて上記凹所から離脱させ、かつ、この操作体の復帰動作を上記ばね体の弾発付勢力によって行わせるカム機構とを有する請求項２に記載したカードコネクタ。
【請求項４】
上記蓋体にカードの挿抜操作を案内するカードガイドが備わり、上記カード付勢機構が、上記カードガイドに挿入されたカードに押されて初期位置から前進位置まで移動されかつ初期位置に向けて常時弾発付勢されたスライダと、上記カードガイドに設けられた係止部と、上記スライダに取り付けられてこのスライダが初期位置から前進位置まで移動するときに上記係止部を乗り越えかつスライダが前進位置に到達したときに先端がそれ自体の弾性により上記係止部に対向する位置に変位してその係止部に係止される第１板ばね片と、上記ボディに設けられて上記蓋体を閉じたときに上記第１板ばね片の先端を押し戻して上記係止部との非対向位置に変位させる押圧部と、上記ボディに設けられて上記蓋体を閉じているときに初期位置に向けて弾発付勢された上記スライダにより後方へ押し付けられたカードの後端に当接してそのカードをセット位置に保持するカード受面とを備える請求項１に記載したカードコネクタ。
【請求項５】
上記スライダに、上記カードガイドに挿入されたカードの側端面を乗り越えさせてその側端面に具備されている凹入部に嵌合状に係合することによってそのカードを蓋体に対してハーフロックする山形係合部を備えた第２板ばね片が取り付けられ、この第２板ばね片が、上記第１板ばね片に一体に連設されている請求項４に記載したカードコネクタ。
【請求項６】
上記ボディの前端部に、上記横軸に対する偏心箇所で上記蓋体の前端面を係止することによりその蓋体の開き角度を規制する受面が備わっている請求項１に記載したカードコネクタ。
【請求項７】
上記スライダに、上記カードガイドに適正姿勢で挿入されたカードの上記凹入部に嵌まり込むことにより上記山形係合部が上記凹入部に係合する位置までカードの挿入動作を許容するカード位置規制部が備わり、そのカード位置規制部は、上記カードガイドに不適姿勢で挿入されたカードの端面に当接して上記凹入部が上記山形係合部に係合する位置よりも後方位置でカードの挿入を阻止するようになっている請求項５に記載したカードコネクタ。
【請求項８】
上記ボディに、蓋体の開閉を検出するための開閉スイッチを形成する一対の接点が具備され、上記蓋体に、この蓋体を閉じることによって上記一対の接点の両方に弾接してそれらを短絡する導電体が設けられている請求項１に記載したカードコネクタ。
【請求項９】
上記ボディが底板部とその底板部の周囲から立ち上がった環状の縁枠部とを有し、上記蓋体が、上記縁枠部で囲まれた開口を塞ぐ覆板部を有し、上記縁枠部の上面と上記覆板部の下面とのうちの一方側の面がシール座面とされ、上記蓋体を閉じたときに上記シール座面が密着して上記縁枠部と上記覆板部との隙間を水密に密閉するシール材が他方側の面に配備されている請求項１又は請求項８に記載したカードコネクタ。
【発明の詳細な説明】
【０００１】
【発明の属する技術分野】
本発明は、カードコネクタ、特に小形メモリーカードを使用対象としてコンパクトに設計されるカードコネクタに関する。
【０００２】
【従来の技術】
従来、名刺サイズに相応する大きさのＩＣカードといった比較的大きなサイズのカードを使用対象としているカードコネクタでは、複数の接点を備えたボディにカードを挿入することによってカード側の電極がボディ側の接点に弾接して両者が電気的接続されるようになっているものが多い。これに対し、小形メモリーカードを使用対象とするカードコネクタは、小形メモリーカードのサイズに見合うようにそのサイズを小さくすることが要求されるため、上記のようにボディにカードを挿入してそのカードの電極をボディ側の接点に弾接させるという構成を採用することが困難な場合がある。
【０００３】
【発明が解決しようとする課題】
本発明は以上の状況に鑑みてなされたものであり、ボディとそのボディに開閉可能に連結された蓋体とを備え、蓋体にカードを保持させるようになっていると共に、蓋体に保持させたカードの面電極が、蓋体を閉じることによってボディ側の接点に弾接して電気的接続されるようになっているカードコネクタにおいて、その使い勝手、特にカードの装着操作や取出し操作を容易に行うことができるようになるカードコネクタを提供することを目的とする。
【０００４】
また、本発明は、小形化した場合でも、蓋体を閉じてカードの面電極がボディ側の接点に弾接して電気的接続されている場合に、不用意に蓋体が開いて接続安定性が損なわれるという事態の起こりにくくなるカードコネクタを提供することを目的とする。
【０００５】
さらに、本発明は、閉じる前の蓋体に保持させたカードをハーフロックする機能を具備させることによって、蓋体を閉じるときにカードが不慮に蓋体から脱落することのないカードコネクタを提供することを目的とする。
【０００６】
さらに、本発明は、カードを保持させた蓋体を閉じたときにそのカードが確実に適正なセット位置に位置決めすることのできるカードコネクタを提供することを目的とする。
【０００７】
さらに、本発明は、カードを保持させた蓋体を閉じる操作を行うだけで、カードの面電極がボディ側の接点に擦れ合うというワイピング機能（セルフクリーニング機能）を発揮させて電気的接続安定性を高めることのできるカードコネクタを提供することを目的とする。
【０００８】
さらに、本発明は、蓋体の開き角度を必要最小限度に小さく抑えてボディ側の接点や蓋体に保持させたカードの面電極を塵芥から防護することのできるカードコネクタを提供することを目的とする。
【０００９】
さらに、本発明は、防滴機能を備えたカードコネクタを提供することを目的とする。
【００１０】
さらに、本発明は小形化しても上記した各目的を無理なく達成し得るカードコネクタを提供することを目的とする。
【００１１】
【課題を解決するための手段】
本発明に係るカードコネクタは、複数の接点を具備するボディの前端部に横軸を介し蓋体が開閉可能に連結され、その蓋体の開閉動作を通じてその蓋体に保持させたカードの面電極が上記接点に離接するようになっている。この構成であると、ボディにカードを挿抜する必要がないので、カードの挿抜に要するスペースをボディに確保する必要がなくなってそれだけボディの必要強度が緩和され、カードコネクタ全体を小形化しやすくなる。
【００１２】
本発明のカードコネクタでは、互いに係脱可能な一対の係合部を有し、それらの係合部のうち、一方側係合部が、他方側係合部に対する係脱方向に移動可能でかつ係合方向に常時弾発付勢されたロック機構を備え、上記一方側係合部と上記他方側係合部とが上記ボディと上記蓋体とに振り分けて各別に設けられ、上記ロック機構に、上記蓋体を閉じるのに伴って一方側係合部を上記弾発付勢に抗して移動させながら他方側係合部を乗り越えさせた後にその一方側係合部の上記弾発付勢による復帰移動を介して一方側係合部を他方側係合部に係合させるガイド部が備わっている。この構成であれば、カードを保持させた蓋体を閉じる操作を行うだけで、ガイド部の作用により他方側係合部が一方側係合部を弾発付勢に抗して移動させながら乗り越えて一方側係合部を他方側係合部に係合させる。このため、カードを装着する操作を容易に行うことができるだけでなく、一方側係合部が他方側係合部に係合することによってロック機構がロック状態になり、蓋体が不用意に開いてカードの面電極とボディ側の接点との電気的接続が解除されるという事態が起こらなくなる。
【００１３】
さらに、本発明のコネクタでは、上記他方側係合部に係合している上記一方側係合部を上記弾発付勢に抗して移動させてその係合状態を解除するロック解除操作機構と、このロック解除機構によって一方側係合部と他方側係合部との係合状態が解除されたときに上記蓋体を上記ボディから跳ね上げる開蓋機構と、上記蓋体が開いたときにその蓋体に保持されている上記カードを後方へ突出させるカード付勢機構とを備えている。これによれば、ロック解除操作機構で上記ロック状態を解除すると、開扉機構によって蓋体がボディから跳ね上げられて開くので、カード付勢機構の作用によってカードが蓋体の後方に突出する。このため、カードを蓋体から容易に取り出すことができるようになる。
【００１４】
本発明では、上記ロック機構が、ボディ側に前後移動可能に配備された上記一方側係合部と、ボディ側に配備されて上記一方側係合部を常時前方へ弾発付勢するばね体と、ボディ側に設けられて上記一方側係合部に当接することによりその一方側係合部の前位置を規制するストッパと、上記蓋体側に設けられた上記他方側係合部とを有していて、上記係脱方向が前後方向に一致していると共に、上記一方側係合部が前向きの突片でなり、上記他方側係合部がその突片の嵌脱を許容する凹所を備えた上記蓋体の後端部でなり、上記ガイド部が、上記突片又は上記蓋体の後端部に具備された傾斜面でなることが望ましい。ロック機構をこのように構成することにより、動作信頼性に優れたロック機構を少ない部品点数で構成することが可能になり、そのことが、当該カードコネクタ全体の小形化に役立つ。
【００１５】
本発明では、上記ロック解除操作機構が、上記ボディに左右方向に押込み復帰可能に取り付けられて操作部がボディの側方へ突出された操作体と、この操作体の押込み操作により上記突片を後退させて上記凹所から離脱させ、かつ、この操作体の復帰動作を上記ばね体の弾発付勢力によって行わせるカム機構とを有していることが望ましい。これによれば、操作体の操作部がボディの側方へ突出しているので、当該カードコネクタの長さを延長することなくこのカードコネクタにロック解除操作機構を具備させることが可能になる。また、カム機構による操作体の復帰動作を、上記ロック機構の構成部品であるばね体の弾発付勢力を利用して行わせるようになっているので、このロック解除操作機構に専用のばね体を具備させる必要がなくなってそれだけ部品点数を削減することが可能になる。
【００１６】
本発明では、上記蓋体にカードの挿抜操作を案内するカードガイドが備わり、上記カード付勢機構が、上記カードガイドに挿入されたカードに押されて初期位置から前進位置まで移動されかつ初期位置に向けて常時弾発付勢されたスライダと、上記カードガイドに設けられた係止部と、上記スライダに取り付けられてこのスライダが初期位置から前進位置まで移動するときに上記係止部を乗り越えかつスライダが前進位置に到達したときに先端がそれ自体の弾性により上記係止部に対向する位置に変位してその係止部に係止される第１板ばね片と、上記ボディに設けられて上記蓋体を閉じたときに上記第１板ばね片の先端を押し戻して上記係止部との非対向位置に変位させる押圧部と、上記ボディに設けられて上記蓋体を閉じているときに初期位置に向けて弾発付勢された上記スライダにより後方へ押し付けられたカードの後端に当接してそのカードをセット位置に保持するカード受面とを備えるという構成を採用することが可能である。カード付勢機構がこの構成を有していると、カードガイドに挿入したカードを押し込んでスライダを初期位置から前進位置まで移動させると、第１ばね片の先端がカードガイド側の係止部を乗り越えてその係止部に係止するので、次に蓋体を閉じたときに、カードの面電極がボディ側の接点に確実に弾接する。しかも、蓋体を閉じたときには、ボディ側の押圧部が第１板ばね片の先端を押し戻して係止部との非対向位置に変位させるため、係止部に対する第１板ばね片の先端の係合状態が解除される。しかも、それに伴って初期位置に向けて弾発付勢されているスライダと共に、カードの後端がボディ側のカード受面に当接するまでそのカードがスライダに押されて後方へ少し移動するので、その移動によってカードの面電極とボディ側の接点とが擦れ合うというワイピング機能が発揮される。したがって、カードを保持させた蓋体を閉じるごとにカード側の面電極とボディ側の接点との接触箇所がクリーニングされて電気的接続安定性が良好に維持される。
【００１７】
本発明では、上記スライダに、上記カードガイドに挿入されたカードの側端面を乗り越えさせてその側端面に具備されている凹入部に嵌合状に係合することによってそのカードを蓋体に対してハーフロックする山形係合部を備えた第２板ばね片が取り付けられ、この第２板ばね片が、上記第１板ばね片に一体に連設されていることが望ましい。これによれば、カードガイドにカードを挿入するだけで、カード側の凹入部に第２板ばね片の山形係合部が嵌合状に係合してカードを蓋体に対してハーフロックする。そのため、カードガイドに挿入して蓋体に保持させたカードが不用意に蓋体から脱落するという事態が防止される。また、第２板ばね片が上記第１板ばね片に一体に連設されているため、ハーフロック用の第２板ばね片を部品点数を増やさずに構成することが可能である。
【００１８】
本発明では、上記ボディの前端部に、上記横軸に対する偏心箇所で上記蓋体の前端面を係止することによりその蓋体の開き角度を規制する受面が備わっていることが望ましい。これによれば、ボディの前端部や蓋体の前端面によって蓋体の開き角度が規制されるので、部品点数を増やさずに蓋体の開き角度を規制することが可能になる。また、部品点数を増やさずに蓋体の開き角度を必要最小限度に小さく抑えてボディ側の接点や蓋体に保持させたカードの面電極を塵芥から防護することが可能になる。
【００１９】
本発明では、上記スライダに、上記カードガイドに適正姿勢で挿入されたカードの上記凹入部に嵌まり込むことにより上記山形係合部が上記凹入部に係合する位置までカードの挿入動作を許容するカード位置規制部が備わり、そのカード位置規制部は、上記カードガイドに不適姿勢で挿入されたカードの端面に当接して上記凹入部が上記山形係合部に係合する位置よりも後方位置でカードの挿入を阻止するようになっていることが望ましい。これによれば、カードガイドに挿入したカードがハーフロックされる前にそのカードを不適姿勢で挿入したことが使用者に認識されるので、使用者がカードをカードガイドから直ちに容易に引き抜いてそのカードを適正姿勢でカードガイドに挿入し直すことが可能である。
【００２０】
本発明によれば、上記ボディに、蓋体の開閉を検出するための開閉スイッチを形成する一対の接点が具備され、上記蓋体に、この蓋体を閉じることによって上記一対の接点の両方に弾接してそれらを短絡する導電体が設けられている、という構成を採用することが可能である。これによれば、蓋体の開閉を検出する開閉スイッチを簡単に構成することが可能である。
【００２１】
本発明では、上記ボディが底板部とその底板部の周囲から立ち上がった環状の縁枠部とを有し、上記蓋体が、上記縁枠部で囲まれた開口を塞ぐ覆板部を有し、上記縁枠部の上面と上記覆板部の下面とのうちの一方側の面がシール座面とされ、上記蓋体を閉じたときに上記シール座面が密着して上記縁枠部と上記覆板部との隙間を水密に密閉するシール材が他方側の面に配備されていることが望ましく、これによれば、蓋体を閉じたときにシール座面とシール材との密着箇所によって当該カードコネクタが密閉されるため、雨滴などの水分がカードコネクタの内部に浸入するという事態が防止される。そのため、カードコネクタに浸入した水分で接点同士が短絡したり、カードの面電極が濡れたり、開閉スイッチが動作不良を起こしたりするという事態が防止されて電気的接続信頼性が向上する。
【００２２】
【発明の実施の形態】
図１は必要部品が取り付けられたボディ１の概略斜視図、図２はロック解除操作機構Ｂを下側から見て示した概略斜視図、図３は必要部品が取り付けられた蓋体３を下側から見て示した概略斜視図、図４は開扉機構Ｃや蓋体３の開き角度を規制するための機構を説明するための部分側面図、図５はロック機構Ａの要部を示した分解斜視図、図６はスライダ５などを下側から見て示した概略斜視図、図７はロック機構Ａの動作を説明するための一部破断側面図、図８はロック解除操作機構Ｂを示した横断平面図、図９はカード１００を下側から見て示した概略斜視図、図１０はカード未挿入時の状態を示した部分横断平面図、図１１はカード１００がハーフロックされた状態を示した部分横断平面図、図１２はカード１００に押されてスライダ５が前進位置まで移動したときの状態を示した部分横断平面図、図１３はカード付勢機構Ｄによるワイピング機能などを説明するための部分縦断側面図、図１４はカード付勢機構Ｄのカード排出作用を説明するための部分縦断側面図である。
【００２３】
図１のように、ボディ１は略矩形の底板部１１とその底板部１１の周囲から立ち上がった背低で矩形環状の縁枠部１２とを有しており、縁枠部１２の前端の左右両側に空所１３，１３が形成されていると共に、それらの空所１３，１３内に、底板部１１の前端部から立ち上がった前端片部１４の左右両端面に設けられた突起状の横軸１５，１５が配備されている。また、底板部１１に具備された複数の縦長溝のそれぞれにばね性を有する接片１６が前向きに組み込まれ、それぞれの接片１６の前端部が湾曲状の接点１７を形成している。さらに、これらの接片１６でなる接片列の左右方向片側には左右一対のスイッチ接片１８が前向きに組み付けられてそれらの前端部に開閉スイッチＳＷを形成する左右一体のスイッチ接点１８ａが備わっている。これに対し、上記接片列の左右方向他側に前上がりに傾斜した板ばねでなる開蓋ばね１９が組み付けられている。
【００２４】
これに対し、図３に示した蓋体３は矩形の覆板部３１を有し、その覆板部３１の裏面側にカードガイド３２が備わっている。カードガイド３２は、縦方向に延びる左右一対のガイド溝３３を形成していて、これらのガイド溝３３内で図９に示した小形メモリーカード（以下「カード」という）１００の左右両端縁をスライドさせることによってカード１００をカードガイド３２に挿抜することができるようになっている。また、カードガイド３２の前端部左右両側に軸孔３４を備えた突出片３５が前向きに突設されている。そして、図４に示したように、それらの突出片３５を図１に示した空所１３，１３に嵌め込んで軸孔３４に横軸１５に嵌合することによって、蓋体３１がボディ１に開閉可能に連結されている。さらに、蓋体３には、この蓋体３を閉じることによってボディ１側の一対のスイッチ接点１８の両方に弾接してそれらを短絡する板片状の導電体４３が設けられている。
【００２５】
図１又は図４のように、ボディ１の縁枠部１２の前端部に、上記横軸１５に対する上側の偏心箇所に位置する受面２１が備わっている。そして、横軸１５を中心として蓋体３を開いたときに、その蓋体３の覆板部３１の前端面３６を受面２１が係止して蓋体３の最大開き角度を規制するようになっている。図例のカードコネクタでは、カードガイド３２のガイド溝３３にカード１００を挿入できる程度にカードガイド３２の後端がボディ１から少し浮き上がった位置で蓋体３の最大開き角度が規制されるように上記受面２１や蓋体３の覆板部３１の前端面３６の傾斜角度を定めてある。このように、カードガイド３２に対するカード１００の挿抜を妨げない程度に蓋体３の最大開き角度を可及的小さくしておくと、蓋体３を開いているときにボディ１の内部に異物（針金などを含む）が挿入されたり侵入したりすることが抑制されてスイッチ接点１７を異物との干渉や塵芥から防護することができる。
【００２６】
また、図４で類推できるように、蓋体３を閉じたときには、カードガイド３２の下面が図１で説明した開蓋ばね１９に当接してその開蓋ばね１９をそれ自体のばね性に抗して下方へ押し込み変形させるようになっていて、この開蓋ばね１９が、蓋体３をボディ１から跳ね上げる開蓋機構Ｃを形成している。
【００２７】
図９のように、カード１００は略矩形であって、その裏面前端部に左右方向に並んだ複数の面電極１１０が備わっている。また、このカード１００の前端面は左右方向片側が傾斜面１０１として形成され、しかも、このカード１００の片側の側端面に凹入部１０２が形成され、さらに、前端部の片側に後方へ延び出た溝状の凹所１０３が備わっている。
【００２８】
図３のように、カードガイド３２には、片側の溝部３３の外側にスライダ収容空間が区画形成されていて、そのスライダ収容空間に前後に長いスライダ５が収容されている。
【００２９】
図６のように、スライダ５は、その前端部に後向きに突き出た突片部でなるカード位置規制部５１を有しているのに対し、後端部下面に突起５２が備わっている。また、このスライダ５には、第１板ばね片６１と第２板ばね片６５と取付け部６２とを有する板ばね部材６が取り付けられている。すなわち、板ばね部材６は、上記取付け部６２がスライダ５の前後方向中間部に固定されていて、第１板ばね片６１が取付け部６２から後方へ延び出し、第２板ばね片６５が取付け部６２から前方へ延び出ている。取付け部６２は図示していない係合爪を有し、その係合爪をスライダ５に形成した溝部に挿入して係止させるという構成でスライダ５に固定されている。第１板ばね片６１は後下がりに傾斜して上下に弾性変形可能であり、その先端６３がスライダ５の下面から下方へ少し離れている。また、第２板ばね片６５は、左右に弾性変形可能であり、その先端近傍箇所に内側に膨らみ出た山形係合部６６が備わっている。さらに、スライダ５の前端部に形成された孔部５４にコイルばねでなるばね体５５が収容され、そのばね体５５の前端がカードガイド３２の前端部に備わっている壁部４１に受け止められている（図１０〜図１４参照）。そして、スライダ５がばね体５５によって常時前方に向けて弾発付勢されている。
【００３０】
これに対し、図３、図１３又は図１４のように、上記したスライダ収容空間を形成しているカードガイド３２には、スライダ５の突起５２を収容して前後に案内する長いガイド孔３７が形成され、そのガイド孔３７の後端側に抜止め部３８が、その前後方向中間部に係止部３９が、それぞれ備わっている。そして、上記したばね体５５によって常時前方へ弾発付勢されているスライダ５の突起５２が、図１４のように抜止め部３８に当接することによってスライダ５の初期位置が規制されるようになっている。
【００３１】
さらに、図１、図１３又は図１４のように、ボディ１の底板部１１には突起でなる押圧部２２が備わっていると共に、ボディ１の後端部にカード受面２３が備わっている。
【００３２】
ここで説明したところの、ばね体５５により初期位置に向けて常時弾発付勢されたスライダ５と、カードガイド３２に設けられた係止部３９と、第１板ばね片６１と、押圧部２２と、カード受面２３とは、蓋体３が開いたときにその蓋体３に保持されているカード１００を後方へ突出させるカード付勢機構Ｄ（図１３参照）を形成している。カード付勢機構Ｄの作用についてはさらに後述する。
【００３３】
図２、図７又は図８のように、ボディ１の後端部に空所７１が備わり、その空所７１に、左右それぞれに突片でなる係合部７３を備えたコ字形部材７２と、カム機構７４と、ばね体７５とが収容されていて、上記空所７１が図２に示したカバー７６によって塞がれている。すなわち、図８のように、図例のばね体７５は、コ字形部材７２とカバー７６の後壁部７７との間に介在されていて、そのばね体７５に具備された左右のばね片部７８がコ字形部材７２を常時前方（後述する係合部９１に対する係合方向に一致する）へ弾発付勢しているのに対し、ボディ１に設けられている左右に長いリブ状のストッパ７９に、カム機構７４を介してコ字形部材７２が当接することによって上記係合部７３の前方への突出位置が規制されるようになっている。上記ばね体７５には、図例の形状のもののほか、板ばねや圧縮コイルばね、捩じりコイルばね（トーションばね）などを採用することが可能である。
【００３４】
カム機構７４は、コ字形部材７２に一体に設けられた被動作部材８１と、この被動作部材８１の相手方部材である駆動部材８２とを有し、被動作部材８１と駆動部材８２との重なり面８３が傾斜している。そして、駆動部材８２が被動作部材８１の片側でストッパ７９とコ字形部材７２とに挟まれた状態で左右にスライド自在となっている。また、駆動部材８２に設けられている凹所８４に、ボディ１に形成された開口２４に左右方向スライド自在に挿通されたレバー状の操作体８５の係止爪８５ａが圧入状態で連結されている。操作体８５の操作部８６は、ボディ１の側方へ突出されている。また、上記したカム機構７４では、操作体８５の復帰動作が上記ばね体７５の弾発付勢力を利用して行われるようになっている。この点はさらに後述する。
【００３５】
これに対し、蓋体３側には、上記したボディ１側の左右の係合部７３の相手方である係合部９１が左右それぞれに設けられている。すなわち、図５のように、係合部９１は、蓋体３に設けられているカードガイド３２の後端部に形成されて後向きに開口する凹所９２と、その凹所９２の下側に形成された傾斜面９３とを備え、その傾斜面９３が上記したボディ１側の係合部７３の傾斜面９４に対応している。
【００３６】
ここで説明したボディ１側の係合部７３と、その係合部７３を常時前方へ弾発付勢しているばね体７５と、ボディ１側のストッパ７９と、蓋体３側の係合部９１とによってロック機構Ａが構成され、上記傾斜面９４，９３がガイド部９５を形成し、上記操作体８５とカム機構７４とによりロック解除操作機構Ｂが構成されている（図５、図７、図８参照）。
【００３７】
以上の構成を備えたカードコネクタの作用を説明する。
【００３８】
図１０に示したように、カード未挿入時には、ばね体５５の付勢によってスライダ５が初期位置に位置している。スライダ５の初期位置は、スライダ５の突起５２がカードガイド３２の抜止め部３８に当接することによって規制されている（図１４参照）。また、スライダ５が初期位置に位置しているときには、図３、図１０、図１１又は図１４のように、第１板ばね片６１が係止部３９の上側で後方に延び出て、その第１板ばね片６１の先端６３が、係止部３９よりも後方に位置している。さらに、図４のように、蓋体３が開扉ばね１９により跳ねあげられていて、ボディ１側の受面２１に蓋体３の覆板部３１の前端面３６が当接することによって蓋体３の開き角度が記載されている。
【００３９】
この状態では、カードガイド３２の後端がボディ１から少し浮き上がって位置しているので、カードガイド３２にカード１００を挿入することが可能である。そこで、カードガイド３２の左右のガイド溝３３にカード１００の左右の端縁を適正姿勢でスライドさせて挿入していくと、カード１００の前端の傾斜面１０１と側端面とが第２板ばね片６５の山形係合部６６を外側へ後退させながら乗り越え、カード１００の凹入部１０２が山形係合部６６のところに達した時点で、図１１のようにその山形係合部６６がカード１００の凹入部１０２に嵌合状に係合する。これによりカード１００が蓋体３側にハーフロックされる。このハーフロック状態では、カード１００を無理に引き抜かない限り、カード１００が蓋体３から脱落することはない。また、カード１００を適正姿勢で挿入した場合には、図１１のように、スライダ５に備わっている突片部でなるカード位置規制部５１がカード１００の凹所１０３に嵌まるので、そのカード位置規制部５１によって凹入部１０２が山形係合部６６に係合する位置よりも後方位置でカード１００の挿入が阻止されることはない。なお、スライダ５を初期位置に向けて付勢しているばね体５５は、カード１００の側端面が第２板ばね片６５の山形係合部６６を乗り越えるときに圧縮されない程度の弾発付勢力を有しているものとする。
【００４０】
ここで、仮に、カード１００が裏返し姿勢や前後逆姿勢といった不適姿勢でカードガイド３２に挿入された場合には、カード位置規制部５１がカード１００の前端面又は後端面に当たって、凹入部１０２が山形係合部６６に係合する位置よりも後方位置でカード１００の挿入を阻止するので、使用者はカード１００が誤挿入されたことを直ちに認識して適正姿勢で挿入し直すことが可能になる。
【００４１】
図１１の状態からカード１００をさらに挿入すると、カード１００がスライダ５を前方へ押し込むので、スライダ５がばね体５５の付勢に抗して初期位置から図１２に示した前進位置まで移動する。こうしてスライダ５が前進位置まで押し込まれると、そのスライダ５と共に第１板ばね片６１も前進し、その先端６３が、係止部３９を乗り越えて係止部３９の前側まで移動する。このため、第１板ばね片６１自体の弾性により、第１板ばね片６１の先端６３が係止部３９に前方から対向する位置に変位して図１２のように係止部３９に係止される。
【００４２】
次に、蓋体３を閉じると、開蓋ばね１９がカードガイド３２に押されて下方に向けて撓み変形する。また、ロック機構Ａでは、ボディ１側の係合部７３が、蓋体３側の係合部９１に押されてばね体７５の付勢に抗して図７の仮想線で示した位置まで後方（係合部９１に対する離脱方向に一致する）へ移動した後、係合部７３がその係合部９１の凹所９２のところに到達した時点で、ばね体７５の付勢により係合方向（前方）へ復帰移動して図７の実線で示したようにその凹所９２に嵌合状に係止する。これにより蓋体３が閉位置でロックされる。
【００４３】
また、蓋体３を閉じると、図１３のように、ボディ１側の押圧部２２が第１板ばね片６１を押し戻してその先端６３を係止部３９との非対向位置に変位させる。このため、図１３のように、ばね体５５によって常時初期位置に向けて弾発付勢されているスライダ５と共に第１板ばね片６１が後方へ移動し、第１板ばね片６１が係止部３９の上側に位置する。さらに、カードガイド３２を介してスライダ５に保持されているカード１００がスライダ５と共に後方へ移動するので、カード１００の後端面１０４（図９参照）がボディ１側のカード受面２３に当接してカード１００が保持される。この場合、カード１００の面電極１１０（図９参照）は、蓋体３を閉じた時点でボディ１側の接点１７に弾接し、その後、カード１００がスライダ５と共に後方へ移動するときにその接点１７と擦れ合うので、このときにワイピング機能が発揮されて面電極１１０と接点１７との電気的接続が確実に行われる。なお、図１３にはボディ１側のカード受面２３に当接しているカード１００の後端面１０４を横向きの三角印で示してあり、ワイピング機能を発揮させるためのスライダ５の移動幅を符号Ｚで示したある。
【００４４】
さらに、蓋体３を閉じたときには、図３に示した導電体４３が図１に示した一対のスイッチ接点１８に弾接してそれらを短絡する。これにより蓋体３が閉じられたことが検出される。
【００４５】
カード１００を取り出すときには、ロック解除操作機構Ｂを操作する。すなわち、図８に示した操作体８５の操作部８６を押し込むと、駆動部材８２と被動作部材８１とが重なり面８３で摺動して被動作部材８１がばね体７５の付勢に抗して後方へ押し下げられる。これにより、被動作部材７４と共にコ字形部材７２が後退するので、係合部７３が蓋体側の係合部９１の凹所９２から抜け出し、図４に示したように開蓋ばね１９の付勢によって蓋体３が最大開き角度に開く。また、こうして蓋体３が開かれると、図１３で説明したようにボディ１側のカード受面２３に当接していたカード１００の後端面１０４がそのカード受面２３から外れてその上方へ跳ね上げられるので、ばね体５５の付勢によってスライダ５が図１４のように初期位置まで後退し、そのようなスライダ５の後退によってカード１００が蓋体３の後方へ突出する。この状態では、使用者がカード１００の後端部を手で掴んで後方へ引っ張ると、カード１００が第２板ばね片６５の山形係合部６６を乗り越えて取り出される。
【００４６】
図１５は変形例によるボディ１の概略斜視図、図１６は変形例による蓋体３を下側から見て示した概略斜視図である。
【００４７】
図１５に示したボディ１は、底板部１１とその底板部１１の周囲から立ち上がった矩形環状の縁枠部１２とを有していて、縁枠部１２に矩形環状のシール材２５が貼着あるいは嵌込みといった適宜手段を採用して取り付けられている。これに対し、図１６に示した蓋体３の覆板部３１の外周部下面がシール座面４４として形成されている。そして、蓋体３を閉じたときに、蓋体３のシール座面４４がシール材２５の全体に加圧状態で密着してボディ１の縁枠部１２と蓋体３の覆板部４４との隙間が水密に密閉されて防滴作用が発揮されるようになっている。そのため、このようなボディ１と蓋体３とを備えるカードコネクタでは、使用者の汗や雨滴などの水分がカードコネクタの内部に浸入するという事態が防止されて、カードコネクタに浸入した水分で接点同士が短絡したり、カードの面電極が濡れたり、開閉スイッチが動作不良を起こしたりするという事態が防止される。
【００４８】
図１５及び図１６で説明したカードコネクタにおいて、その他の事項は図１〜図１４で説明したところと同様であるので、説明の重複を避けるため、同一部分に同一符号を付してある。
【００４９】
本発明は、たとえば蓋体３を閉じた状態での大きさが、左右方向での幅寸法が２８．５ｍｍ、縦（奥行）寸法が４３．５ｍｍ、高さ（厚さ）寸法が４．５ｍｍといった超小形薄型のカードコネクタにも好適に採用することが可能である。
【００５０】
【発明の効果】
以上のように、本発明によれば、蓋体に保持させたカードの面電極が、蓋体を閉じることによってボディ側の接点に弾接して電気的接続されるようになっているカードコネクタにおいて、小形メモリーカードを使用対象とするような小形カードコネクタであっても、カードの装着操作や取出し操作を容易に行うことができるものであるにもかかわらず、使用中に不用意に蓋体が開いてカードの面電極に対する電気的接続安定性が損なわれるという事態が起こりにくくなって使い勝手が向上する。また、蓋体にカードをハーフロックする機能を備えているため、蓋体を閉じるときにカードが不慮に蓋体から脱落してカードを適正にセットすることができなくなるという事態が起こらないということも使い勝手を向上させる上で有益である。
【００５１】
さらに、カードを保持させた蓋体を閉じる操作を通じてカードの面電極がボディ側の接点に擦れ合うというワイピング機能を発揮するので電気的接続安定性が向上するという効果が発揮される。
【００５２】
さらに、蓋体の開き角度を必要最小限度に小さく抑えることが容易であるので、蓋体を開いているときでも異物の侵入する可能性をできる限り減らすことが可能である。
【００５３】
さらに、防滴機能を備えたものでは、使用者の汗や雨滴が浸入して不慮の短絡事故などが起こりにくくなるという効果がある。
【図面の簡単な説明】
【図１】ボディ１などの概略斜視図などの概略斜視図である。
【図２】ロック解除操作機構を下側から見て示した概略斜視図である。
【図３】蓋体などを下側から見て示した概略斜視図である。
【図４】開扉機構や蓋体３の開き角度を規制するための機構を説明するための部分側面図である。
【図５】ロック機構の要部を示した分解斜視図である。
【図６】スライダなどを下側から見て示した概略斜視図である。
【図７】ロック機構の動作を説明するための一部破断側面図である。
【図８】ロック解除操作機構を示した横断平面図である。
【図９】カードを下側から見て示した概略斜視図である。
【図１０】カード未挿入時の状態を示した部分横断平面図である。
【図１１】カードがハーフロックされた状態を示した部分横断平面図である。
【図１２】スライダが前進位置まで移動したときの状態を示した部分横断平面図である。
【図１３】カード付勢機構の作用などを説明するための部分縦断側面図である。
【図１４】カード付勢機構の作用などを説明するための部分縦断側面図である。
【図１５】変形例によるボディの概略斜視図である。
【図１６】変形例による蓋体を下側から見て示した概略斜視図である。
【符号の説明】
Ａ　ロック機構
Ｂ　ロック解除操作機構
Ｃ　開扉機構
Ｄ　カード付勢機構
１　ボディ
３　蓋体
５　スライダ
１１　底板部
１２　縁枠部
１５　横軸
１７　接点
１８ａ　スイッチ接点
１９　開扉ばね
２１　受面
２２　押圧部
２３　カード受面
２５　シール材
３１　蓋体の覆板部
３２　カードガイド
３６　蓋体の後端面
３９　係止部
４３　導電体
４４　シール座面
５１　カード位置規制部
６１　第１板ばね片
６５　第２板ばね片
６６　山形係合部
７３，９１　係合部
７４　カム機構
７５　ばね体
７９　ストッパ
８５　操作体
８６　操作部
９２　凹所
９３，９４　傾斜面
９５　ガイド部
１００　カード
１０２　カードの凹入部
１０４　カードの後端面
１１０　面電極
ＳＷ　開閉スイッチ
【図１】
2004022337.tif 000003
【図２】
2004022337.tif 000004
【図３】
2004022337.tif 000005
【図４】
2004022337.tif 000006
【図５】
2004022337.tif 000007
【図６】
2004022337.tif 000008
【図７】
2004022337.tif 000009
【図８】
2004022337.tif 000010
【図９】
2004022337.tif 000011
【図１０】
2004022337.tif 000012
【図１１】
2004022337.tif 000013
【図１２】
2004022337.tif 000014
【図１３】
2004022337.tif 000015
【図１４】
2004022337.tif 000016
【図１５】
2004022337.tif 000017
【図１６】
2004022337.tif 000018